(57)【要約】【課題】１つの発光制御駆動線を二行の画素回路に連結して同時に発光させることにより、駆動回路の面積とコストを減少させることのできる有機電界発光表示装置を提供する。【解決手段】本発明の有機電界発光表示装置は、発光制御駆動部１３０が複数の発光制御駆動部Ｅｍｉｓｓｉｏｎ＿１〜Ｅｍｉｓｓｉｏｎ＿ｎ／２によって構成され、各発光制御駆動部（例えば、第１発光制御駆動部Ｅｍｉｓｓｉｏｎ＿１）から出力される発光制御信号を２つの画素回路部（例えば、第１画素回路部ＰＳ＿１と第２画素回路部ＰＳ＿２）に供給するようにしたことを特徴とする。【選択図】図３
2008216961.tif 000002
【特許請求の範囲】
【請求項１】
初期駆動線、第１クロック線、第１負クロック線と電気的に連結されて第１発光制御線に第１発光制御信号を出力し、第１負発光制御線に第１負発光制御信号を出力する第１発光制御駆動部と、
前記第１発光制御線に電気的に連結された第１画素回路部と、
前記第１発光制御線に電気的に連結された第２画素回路部と、
前記第１負発光制御線、第２クロック線、第２負クロック線と電気的に連結されて第２発光制御線に第２発光制御信号を出力し、第２負発光制御線に第２負発光制御信号を出力する第２発光制御駆動部と、
前記第２発光制御線に電気的に連結された第３画素回路部と、
前記第２発光制御線に電気的に連結された第４画素回路部と
を含むことを特徴とする有機電界発光表示装置。
【請求項２】
前記第１発光制御駆動部は、第１クロック端子が前記第１クロック線に電気的に連結され、第２クロック端子が前記第１負クロック線に電気的に連結され、入力端子が前記初期駆動線に電気的に連結され、出力端子が前記第１発光制御線に電気的に連結されて前記第１発光制御信号を出力し、負出力端子が前記第１負発光制御線に電気的に連結されて前記第１負発光制御信号を出力することを特徴とする請求項１に記載の有機電界発光表示装置。
【請求項３】
前記第２発光制御駆動部は、第１クロック端子が前記第２クロック線に電気的に連結され、第２クロック端子が前記第２負クロック線に電気的に連結され、入力端子が前記第１負発光制御線に電気的に連結され、出力端子が前記第２発光制御線に電気的に連結されて前記第２発光制御信号を出力し、負出力端子が前記第２負発光制御線に電気的に連結されて前記第２負発光制御信号を出力することを特徴とする請求項１または請求項２に記載の有機電界発光表示装置。
【請求項４】
前記第１画素回路部は、第１走査駆動線と第１データ線乃至第ｍデータ線との間に電気的に連結された有機電界発光表示パネルの第１行目に位置する画素回路であることを特徴とする請求項１乃至請求項３のいずれか１項に記載の有機電界発光表示装置。
【請求項５】
前記第２画素回路部は、第２走査駆動線と第１データ線乃至第ｍデータ線との間に電気的に連結された有機電界発光表示パネルの第２行目に位置する画素回路であることを特徴とする請求項１乃至請求項４のいずれか１項に記載の有機電界発光表示装置。
【請求項６】
前記第１画素回路部と前記第２画素回路部は、前記第１発光制御信号が印加されて同時に発光することを特徴とする請求項１乃至請求項５のいずれか１項に記載の有機電界発光表示装置。
【請求項７】
前記第３画素回路部は、第３走査駆動線と第１データ線乃至第ｍデータ線との間に電気的に連結された有機電界発光表示パネルの第３行目に位置する画素回路であることを特徴とする請求項１乃至請求項６のいずれか１項に記載の有機電界発光表示装置。
【請求項８】
前記第４画素回路部は、第４走査駆動線と第１データ線乃至第ｍデータ線との間に電気的に連結された有機電界発光表示パネルの第４行目に位置する画素回路であることを特徴とする請求項１乃至請求項７のいずれか１項に記載の有機電界発光表示装置。
【請求項９】
前記第３画素回路部と前記第４画素回路部は、前記第２発光制御信号が印加されて同時に発光することを特徴とする請求項１乃至請求項８のいずれか１項に記載の有機電界発光表示装置。
【請求項１０】
多段の発光制御駆動部を備えた有機電界発光表示装置の駆動回路において、
前記発光制御駆動部は、
初期駆動線または前段の発光制御駆動部の負発光制御線に連結された入力端子と、
第１クロック信号が供給される第１クロック線と前記第１クロック信号の位相を反転させた第１負クロック信号が供給される第１負クロック線、または第２クロック信号が供給される第２クロック線と前記第２クロック信号の位相を反転させた第２負クロック信号が供給される第２負クロック線のいずれかに電気的に連結される第１クロック端子及び第２クロック端子と、
前記入力端子から入力された入力信号、前記第１クロック端子または前記第２クロック端子から入力されたクロック信号及び負クロック信号を受けて出力信号と負出力信号をそれぞれ出力する出力端子及び負出力端子と
を含むことを特徴とする有機電界発光表示装置の駆動回路。
【請求項１１】
前記クロック信号は、前記第１クロック線または前記第２クロック線から入力される信号であることを特徴とする請求項１０に記載の有機電界発光表示装置の駆動回路。
【請求項１２】
前記負クロック信号は、前記第１負クロック線または前記第２負クロック線から入力される信号であることを特徴とする請求項１０または請求項１１に記載の有機電界発光表示装置の駆動回路。
【請求項１３】
前記発光制御駆動部は、
前記入力端子と第１電源電圧線との間に電気的に連結された第１スイッチング素子と、
前記第１クロック端子に制御電極が電気的に連結され、前記第１スイッチング素子と前記第１電源電圧線との間に電気的に連結された第２スイッチング素子と、
前記第１スイッチング素子と前記第２スイッチング素子との間に制御電極が電気的に連結され、前記第２スイッチング素子と前記第２クロック端子との間に電気的に連結された第３スイッチング素子と、
前記第２スイッチング素子と前記第３スイッチング素子との間に制御電極が電気的に連結され、前記第１電源電圧線と第２電源電圧線との間に電気的に連結された第４スイッチング素子と、
前記第１クロック端子に制御電極が電気的に連結され、前記第４スイッチング
素子と前記第２電源電圧線との間に電気的に連結された第５スイッチング素子と、
前記第４スイッチング素子と前記第５スイッチング素子との間に制御電極が電気的に連結され、前記第１電源電圧線と前記第２電源電圧線との間に電気的に連結された第６スイッチング素子と、
前記第２スイッチング素子と前記第３スイッチング素子との間に制御電極が電気的に連結され、前記第６スイッチング素子と前記第２電源電圧線との間に電気的に連結された第７スイッチング素子と、
前記第６スイッチング素子と前記第７スイッチング素子との間に制御電極が電気的に連結され、前記第１電源電圧線と前記第２電源電圧線との間に電気的に連結された第８スイッチング素子と、
前記第４スイッチング素子と前記第５スイッチング素子との間に制御電極が電気的に連結され、前記第８スイッチング素子と前記第２電源電圧線との間に電気的に連結された第９スイッチング素子と
を含むことを特徴とする請求項１０乃至請求項１２のいずれか１項に記載の有機電界発光表示装置の駆動回路。
【請求項１４】
前記多段の発光制御駆動部を構成する第１発光制御駆動部は、前記第１クロック端子が前記第１クロック線に電気的に連結され、前記第２クロック端子が前記第１負クロック線に電気的に連結され、前記入力端子が前記初期駆動線に電気的に連結され、前記出力端子が第１発光制御線に電気的に連結されて第１発光制御信号を出力し、前記負出力端子が第１負発光制御線に電気的に連結されて第１負発光制御信号を出力することを特徴とする請求項１０乃至請求項１３のいずれか１項に記載の有機電界発光表示装置の駆動回路。
【請求項１５】
前記多段の発光制御駆動部を構成する第２発光制御駆動部は、前記第１クロック端子が前記第２クロック線に電気的に連結され、前記第２クロック端子が前記第２負クロック線に電気的に連結され、前記入力端子が前記第１負発光制御線に電気的に連結され、前記出力端子が第２発光制御線に電気的に連結されて第２発光制御信号を出力し、前記負出力端子が第２負発光制御線に電気的に連結されて第２負発光制御信号を出力することを特徴とする請求項１４に記載の有機電界発光表示装置の駆動回路。
【請求項１６】
前記多段の発光制御駆動部を構成する前記第１発光制御駆動部を除いた奇数番目の発光制御駆動部は、前記第１クロック端子が前記第１クロック線または前記第１負クロック線に電気的に連結され、前記第２クロック端子が前記第１負クロック線または前記第１クロック線に電気的に連結され、前記入力端子が前記前段の発光制御駆動部の負発光制御線に電気的に連結され、前記出力端子が奇数番目の発光制御線に電気的に連結されて発光制御信号を出力し、前記負出力端子が奇数番目の負発光制御線に電気的に連結されて負発光制御信号を出力することを特徴とする請求項１４または請求項１５に記載の有機電界発光表示装置の駆動回路。
【請求項１７】
前記奇数番目の発光制御駆動部は、前記第１クロック端子が前記第１クロック線に電気的に連結された場合には、前記第２クロック端子が前記第１負クロック線に電気的に連結され、前記第１クロック端子が前記第１負クロック線に電気的に連結された場合には、前記第２クロック端子が前記第１クロック線に電気的に連結されることを特徴とする請求項１６に記載の有機電界発光表示装置の駆動回路。
【請求項１８】
前記多段の発光制御駆動部を構成する偶数番目の発光制御駆動部は、前記第１クロック端子が前記第２クロック線または前記第２負クロック線に電気的に連結され、前記第２クロック端子が前記第２負クロック線または前記第２クロック線に電気的に連結され、前記入力端子が前記前段の発光制御駆動部の負発光制御線に電気的に連結され、前記出力端子が偶数番目の発光制御線に電気的に連結されて発光制御信号を出力し、前記負出力端子が偶数番目の負発光制御線に電気的に連結されて負発光制御信号を出力することを特徴とする請求項１０乃至請求項１７のいずれか１項に記載の有機電界発光表示装置の駆動回路。
【請求項１９】
前記偶数番目の発光制御駆動部は、前記第１クロック端子が前記第２クロック線に電気的に連結された場合には、前記第２クロック端子が前記第２負クロック線に電気的に連結され、前記第１クロック端子が前記第２負クロック線に電気的に連結された場合には、前記第２クロック端子が前記第２クロック線に電気的に連結されることを特徴とする請求項１８に記載の有機電界発光表示装置の駆動回路。
【請求項２０】
前記第１スイッチング素子は、制御電極が前記第１クロック端子に電気的に連結され、第１電極が前記第３スイッチング素子の制御電極に電気的に連結され、 第２電極が前記入力端子に電気的に連結されていることを特徴とする請求項１３乃至請求項１９のいずれか１項に記載の有機電界発光表示装置の駆動回路。
【請求項２１】
前記第１スイッチング素子は、制御電極が前記入力端子に電気的に連結され、 第１電極が前記第３スイッチング素子の制御電極に電気的に連結され、第２電極が前記入力端子に電気的に連結されていることを特徴とする請求項１３乃至請求項１９のいずれか１項に記載の有機電界発光表示装置の駆動回路。
【請求項２２】
前記第２スイッチング素子は、制御電極が前記第１クロック端子に電気的に連結され、第１電極が前記第１電源電圧線に電気的に連結され、第２電極が前記第３スイッチング素子の第１電極と前記第４スイッチング素子の制御電極との間に電気的に連結されていることを特徴とする請求項１３乃至請求項２１のいずれか１項に記載の有機電界発光表示装置の駆動回路。
【請求項２３】
前記第３スイッチング素子は、制御電極が前記第１スイッチング素子の第１電極に電気的に連結され、第１電極が前記第４スイッチング素子の制御電極と前記第７スイッチング素子の制御電極との間に電気的に連結され、第２電極が前記第２クロック端子に電気的に連結されていることを特徴とする請求項１３乃至請求項２２のいずれか１項に記載の有機電界発光表示装置の駆動回路。
【請求項２４】
前記第４スイッチング素子は、制御電極が前記第２スイッチング素子と前記第３スイッチング素子との間に電気的に連結され、第１電極が前記第１電源電圧線に電気的に連結され、第２電極が前記第５スイッチング素子の第１電極と前記第６スイッチング素子の制御電極との間に電気的に連結されていることを特徴とする請求項１３乃至請求項２３のいずれか１項に記載の有機電界発光表示装置の駆動回路。
【請求項２５】
前記第５スイッチング素子は、制御電極が前記第１クロック端子に電気的に連結され、第１電極が前記第６スイッチング素子の制御電極と前記第９スイッチング素子の制御電極との間に電気的に連結され、第２電極が前記第２電源電圧線に電気的に連結されていることを特徴とする請求項１３乃至請求項２４のいずれか１項に記載の有機電界発光表示装置の駆動回路。
【請求項２６】
前記第６スイッチング素子は、制御電極が前記第４スイッチング素子と前記第５スイッチング素子との間に電気的に連結され、第１電極が前記第１電源電圧線に電気的に連結され、第２電極が前記第７スイッチング素子の第１電極と前記第８スイッチング素子の制御電極との間に電気的に連結されていることを特徴とする請求項１３乃至請求項２５のいずれか１項に記載の有機電界発光表示装置の駆動回路。
【請求項２７】
前記第７スイッチング素子は、制御電極が前記第２スイッチング素子と前記第３スイッチング素子との間に電気的に連結され、第１電極が前記第８スイッチング素子の制御電極と前記負出力端子との間に電気的に連結され、第２電極が前記第２電源電圧線に電気的に連結されていることを特徴とする請求項１３乃至請求項２６のいずれか１項に記載の有機電界発光表示装置の駆動回路。
【請求項２８】
前記第８スイッチング素子は、制御電極が前記第６スイッチング素子と前記第７スイッチング素子との間に電気的に連結され、第１電極が前記第１電源電圧線に電気的に連結され、第２電極が前記出力端子に電気的に連結されていることを特徴とする請求項１３乃至請求項２７のいずれか１項に記載の有機電界発光表示装置の駆動回路。
【請求項２９】
前記第９スイッチング素子は、制御電極が前記第４スイッチング素子と前記第５スイッチング素子との間に電気的に連結され、第１電極が前記出力端子に電気的に連結され、第２電極が前記第２電源電圧線に電気的に連結されていることを特徴とする請求項１３乃至請求項２８のいずれか１項に記載の有機電界発光表示装置の駆動回路。
【請求項３０】
前記第３スイッチング素子の制御電極に第１電極が電気的に連結され、前記第２スイッチング素子と前記第３スイッチング素子との間に第２電極が電気的に連結された第１容量性素子をさらに含むことを特徴とする請求項１３乃至請求項２９のいずれか１項に記載の有機電界発光表示装置の駆動回路。
【請求項３１】
前記第９スイッチング素子の制御電極と前記第６スイッチング素子の制御電極との間に第１電極が電気的に連結され、前記第８スイッチング素子と前記第９スイッチング素子と前記出力端子との間に第２電極が電気的に連結された第２容量性素子をさらに含むことを特徴とする請求項１３乃至請求項３０のいずれか１項に記載の有機電界発光表示装置の駆動回路。
【請求項３２】
請求項１３乃至請求項３１に記載された駆動回路を含む有機電界発光表示装置。
【発明の詳細な説明】
【技術分野】
【０００１】
本発明は、有機電界発光表示装置及びその駆動回路に関し、より詳しくは、１つの発光制御駆動線が二行の画素回路に電気的に連結され、二行の画素回路に同時に発光制御信号を供給することにより、駆動回路のサイズを減少させて製造原価を節減することのできる有機電界発光表示装置及びその駆動回路に関する。
【背景技術】
【０００２】
有機電界発光表示装置は、蛍光または燐光性の有機化合物を電気的に励起させて発光する表示装置であり、Ｎ×Ｍ個の有機電界発光素子を駆動して映像を表示する。このような有機電界発光素子は、アノード(ＩＴＯ)、有機薄膜、カソード(ｍｅｔａｌ)からなる。有機薄膜は、電子と正孔との結合によって発光する発光層(ＥＭｉｔｔｉｎｇ  Ｌａｙｅｒ、ＥＭＬ)と、電子を輸送する電子輸送層(Ｅｌｅｃｔｒｏｎ Ｔｒａｎｓｐｏｒｔ Ｌａｙｅｒ、ＥＴＬ)と、正孔を輸送する正孔輸送層(Ｈｏｌｅ Ｔｒａｎｓｐｏｒｔ Ｌａｙｅｒ、ＨＴＬ)とを含む多層構造からなり、別途、電子を注入する電子注入層(Ｅｌｅｃｔｒｏｎ  Ｉｎｊｅｃｔｉｎｇ  Ｌａｙｅｒ、ＥＩＬ)と正孔を注入する正孔注入層(Ｈｏｌｅ Ｉｎｊｅｃｔｉｎｇ Ｌａｙｅｒ、ＨＩＬ)とを含むことが可能である。
【０００３】
また、このような有機電界発光素子を駆動する方式としては、単純マトリクス(ｐａｓｓｉｖｅ ｍａｔｒｉｘ、ＰＭ)方式と、ＭＯＳ型(Ｍｅｔａｌ Ｏｘｉｄｅ Ｓｉｌｉｃｏｎ)薄膜トランジスタ(Ｔｈｉｎ Ｆｉｌｍ Ｔｒａｎｓｉｓｔｏｒ、ＴＦＴ)を用いた能動駆動(ａｃｔｉｖｅ ｍａｔｒｉｘ、ＡＭ)方式とがある。ここで、単純マトリクス方式は、正極と負極を直交させ、ラインを選択して駆動する方式であり、これに対して能動駆動方式は、薄膜トランジスタとキャパシタを各ＩＴＯ(Ｉｎｄｉｕｍ  Ｔｉｎ  Ｏｘｉｄｅ)画素電極に接続してキャパシタの容量によって電圧を維持する駆動方式である。
【０００４】
このような有機電界発光表示装置は、パーソナルコンピュータ、携帯電話機、ＰＤＡなどの携帯情報端末機などの表示装置や各種の情報機器の表示装置として用いられている。
【０００５】
最近、陰極線管に比べて重さと体積が小さい各種の発光表示装置が開発されている。特に、発光効率、輝度及び視野角が優れて応答速度の早い有機電界発光表示装置が注目されている。
【０００６】
しかし、有機電界発光表示装置は、高解像度になるにしたがって画素回路を駆動するための駆動部のサイズが大きくなる。このような有機電界発光表示装置のサイズを減らすために駆動部はデッドスペース(Ｄｅａｄ Ｓｐａｃｅ)を利用して設置される。しかし、実際の商品では、デッドスペースにも制約があるので、高解像度の有機電界発光表示装置を駆動するためには駆動部が大きくなり、有機電界発光表示装置も大きくなってしまうという問題点があった。
【０００７】
図１は、発光制御信号を伝達するための従来の発光制御駆動回路を示す回路図である。発光制御駆動回路は、２つのＰチャネル(ｐ−ｃｈａｎｎｅｌ)スイッチング素子Ｐ１１、Ｐ１２と、２つのＮチャネル(ｎ−ｃｈａｎｎｅｌ)スイッチング素子Ｎ１１、Ｎ１２と、容量性素子Ｃ１１とを備え、クロック信号Ｅｍ＿ＣＬＫ、負クロック信号Ｅｍ＿ＣＬＫＢ及び入力信号Ｅｍ＿Ｉｎとが入力されて出力信号Ｅｍ＿Ｏｕｔを生成する。
【０００８】
このような発光制御駆動回路は、ＰＭＯＳトランジスタとＮＭＯＳトランジスタを用いて容易に回路を構成することができる。しかし、このように構成された発光制御駆動回路は、ＰＭＯＳトランジスタとＮＭＯＳトランジスタとを用いて実現しなければならないので、別に外装ドライバのような回路を形成する必要があり、また追加的な工程も必要になる。これにより、有機電界発光表示装置のサイズが大きくなって重くなり、さらに工程も複雑になるという問題点があった。
【発明の開示】
【発明が解決しようとする課題】
【０００９】
本発明は、上述した従来の問題点を解決するためになされたものであり、その目的は、１つの発光制御駆動線が二行の画素回路に電気的に連結され、二行の画素回路に同時に発光制御信号を供給することにより、駆動回路の面積を減少させて、製造原価を節減することのできる有機電界発光表示装置及びその駆動回路を提供することにある。
【００１０】
また、本発明の他の目的は、発光制御駆動回路が画素回路と同様な種類のトランジスタで実現されることにより、製造費用及び時間を節約することができる有機電界発光表示装置及びその駆動回路を提供することにある。
【課題を解決するための手段】
【００１１】
上述の目的を達成するために、本発明に係る有機電界発光表示装置は、初期駆動線、第１クロック線、第１負クロック線と電気的に連結されて第１発光制御線に第１発光制御信号を出力し、第１負発光制御線に第１負発光制御信号を出力する第１発光制御駆動部と、前記第１発光制御線に電気的に連結された第１画素回路部と、前記第１発光制御線に電気的に連結された第２画素回路部と、前記第１負発光制御線、第２クロック線、第２負クロック線と電気的に連結されて第２発光制御線に第２発光制御信号を出力し、第２負発光制御線に第２負発光制御信号を出力する第２発光制御駆動部と、前記第２発光制御線に電気的に連結された第３画素回路部と、前記第２発光制御線に電気的に連結された第４画素回路部とを含むことを特徴とする。
【００１２】
前記第１発光制御駆動部は、第１クロック端子が前記第１クロック線に電気的に連結され、第２クロック端子が前記第１負クロック線に電気的に連結され、入力端子が前記初期駆動線に電気的に連結され、出力端子は前記第１発光制御線に電気的に連結されて前記第１発光制御信号を出力し、負出力端子は前記第１負発光制御線に電気的に連結されて前記第１負発光制御信号を出力するようにしてもよい。
【００１３】
前記第２発光制御駆動部は、第１クロック端子が前記第２クロック線に電気的に連結され、第２クロック端子が前記第２負クロック線に電気的に連結され、入力端子が前記第１負発光制御線に電気的に連結され、出力端子は前記第２発光制御線に電気的に連結されて前記第２発光制御信号を出力し、負出力端子は前記第２負発光制御線に電気的に連結されて前記第２負発光制御信号を出力するようにしてもよい。
【００１４】
前記第１画素回路部は、第１走査駆動線と第１データ線乃至第ｍデータ線との間に電気的に連結された有機電界発光表示パネルの第１行目に位置する画素回路であるとしてもよい。
【００１５】
前記第２画素回路部は、第２走査駆動線と第１データ線乃至第ｍデータ線との間に電気的に連結された有機電界発光表示パネルの第２行目に位置する画素回路であるとしてもよい。
【００１６】
前記第１画素回路部と前記第２画素回路部は、前記第１発光制御信号が印加されて同時に発光するようにしてもよい。
【００１７】
前記第３画素回路部は、第３走査駆動線と第１データ線乃至第ｍデータ線との間に電気的に連結された有機電界発光表示パネルの第３行目に位置する画素回路であるとしてもよい。
【００１８】
前記第４画素回路部は、第４走査駆動線と第１データ線乃至第ｍデータ線との間に電気的に連結された有機電界発光表示パネルの第４行目に位置する画素回路であるとしてもよい。
【００１９】
前記第３画素回路部と前記第４画素回路部は、前記第２発光制御信号が印加されて同時に発光するようにしてもよい。
【００２０】
多段の発光制御駆動部を備えた有機電界発光表示装置の駆動回路において、前記発光制御駆動部は、初期駆動線または前段の発光制御駆動部の負発光制御線に連結された入力端子と、第１クロック信号が供給される第１クロック線と前記第１クロック信号の位相を反転させた第１負クロック信号が供給される第１負クロック線、または第２クロック信号が供給される第２クロック線と前記第２クロック信号の位相を反転させた第２負クロック信号が供給される第２負クロック線のいずれかに電気的に連結される第１クロック端子及び第２クロック端子と、前記入力端子から入力された入力信号、前記第１クロック端子または前記第２クロック端子から入力されたクロック信号及び負クロック信号を受けて出力信号と負出力信号をそれぞれ出力する出力端子及び負出力端子とを含むことを特徴とする。
【００２１】
前記クロック信号は、前記第１クロック線または前記第２クロック線から入力される信号としてもよい。
【００２２】
前記負クロック信号は、前記第１負クロック線または前記第２負クロック線から入力される信号としてもよい。
【００２３】
前記発光制御駆動部は、前記入力端子と前記第１クロック端子との間に電気的に連結された第１スイッチング素子と、前記第１クロック端子に制御電極が電気的に連結され、第１電源電圧線に電気的に連結された第２スイッチング素子と、前記第１スイッチング素子に制御電極が電気的に連結され、前記第２スイッチング素子と前記第２クロック端子との間に電気的に連結された第３スイッチング素子と、前記第２スイッチング素子と前記第３スイッチング素子との間に制御電極が電気的に連結され、前記第１電源電圧線に電気的に連結された第４スイッチング素子と、前記第１クロック端子に制御電極が電気的に連結され、前記第４スイッチング素子と第２電源電圧線との間に電気的に連結された第５スイッチング素子と、前記第４スイッチング素子と前記第５スイッチング素子との間に制御電極が電気的に連結され、前記第１電源電圧線に電気的に連結された第６スイッチング素子と、前記第２スイッチング素子と前記第３スイッチング素子との間に制御電極が電気的に連結され、前記第６スイッチング素子と前記第２電源電圧線との間に電気的に連結された第７スイッチング素子と、前記第６スイッチング素子と前記第７スイッチング素子との間に制御電極が電気的に連結され、前記第１電源電圧線に電気的に連結された第８スイッチング素子と、前記第４スイッチング素子と前記第５スイッチング素子との間に制御電極が電気的に連結され、前記第８スイッチング素子と前記第２電源電圧線との間に電気的に連結された第９スイッチング素子とを含むようにしてもよい。
【００２４】
前記多段の発光制御駆動部を構成する第１発光制御駆動部は、前記第１クロック端子が前記第１クロック線に電気的に連結され、前記第２クロック端子が前記第１負クロック線に電気的に連結され、前記入力端子が前記初期駆動線に電気的に連結され、前記出力端子が第１発光制御線に電気的に連結されて第１発光制御信号を出力し、前記負出力端子が第１負発光制御線に電気的に連結されて第１負発光制御信号を出力するようにしてもよい。
【００２５】
前記多段の発光制御駆動部を構成する第２発光制御駆動部は、前記第１クロック端子が前記第２クロック線に電気的に連結され、前記第２クロック端子が前記第２負クロック線に電気的に連結され、前記入力端子が第１負発光制御線に電気的に連結され、前記出力端子が第２発光制御線に電気的に連結されて第２発光制御信号を出力し、前記負出力端子が第２負発光制御線に電気的に連結されて第２負発光制御信号を出力するようにしてもよい。
【００２６】
前記多段の発光制御駆動部を構成する前記第１発光制御駆動部を除いた奇数番目の発光制御駆動部は、前記第１クロック端子が前記第１クロック線または前記第１負クロック線に電気的に連結され、前記第２クロック端子が前記第１負クロック線または第１クロック線に電気的に連結され、前記入力端子が前記前段の発光制御駆動部の負発光制御線に電気的に連結され、前記出力端子が奇数番目の発光制御線に電気的に連結されて発光制御信号を出力し、前記負出力端子が奇数番目の負発光制御線に電気的に連結されて負発光制御信号を出力するようにしてもよい。
【００２７】
奇数番目の発光制御駆動部は、前記第１クロック端子が第１クロック線に電気的に連結された場合には、前記第２クロック端子が前記第１負クロック線に電気的に連結され、前記第１クロック端子が前記第１負クロック線に電気的に連結された場合には、前記第２クロック端子が前記第１クロック線に電気的に連結されるようにしてもよい。
【００２８】
前記多段の発光制御駆動部を構成する偶数番目の発光制御駆動部は、前記第１クロック端子が前記第２クロック線または前記第２負クロック線に電気的に連結され、前記第２クロック端子が前記第２負クロック線または前記第２クロック線に電気的に連結され、前記入力端子が前記前段の発光制御駆動部の負発光制御線に電気的に連結され、前記出力端子が偶数番目の発光制御線に電気的に連結されて発光制御信号を出力し、前記負出力端子が偶数番目の負発光制御線に電気的に連結されて負発光制御信号を出力するようにしてもよい。
【００２９】
前記偶数番目の発光制御駆動部は、前記第１クロック端子が前記第２クロック線に電気的に連結された場合には、前記第２クロック端子が前記第２負クロック線に電気的に連結され、前記第１クロック端子が前記第２負クロック線に電気的に連結された場合には、前記第２クロック端子が前記第２クロック線に電気的に連結されるようにしてもよい。
【００３０】
前記第１スイッチング素子は、制御電極が前記第１クロック端子に電気的に連結され、第１電極が前記第３スイッチング素子の制御電極に電気的に連結され、第２電極が前記入力端子に電気的に連結されるようにしてもよい。
【００３１】
前記第１スイッチング素子は、制御電極が前記入力端子に電気的に連結され、第１電極が前記第３スイッチング素子の制御電極に電気的に連結され、第２電極が前記入力端子に電気的に連結されるようにしてもよい。
【００３２】
前記第２スイッチング素子は、制御電極が前記第１クロック端子に電気的に連結され、第１電極が前記第１電源電圧線に電気的に連結され、第２電極が前記第３スイッチング素子の第１電極と前記第４スイッチング素子の制御電極との間に電気的に連結されるようにしてもよい。
【００３３】
前記第３スイッチング素子は、制御電極が前記第１スイッチング素子の第１電極に電気的に連結され、第１電極が前記第４スイッチング素子の制御電極と前記第７スイッチング素子の制御電極との間に電気的に連結され、第２電極が前記第２クロック端子に電気的に連結されるようにしてもよい。
【００３４】
前記第４スイッチング素子は、制御電極が前記第２スイッチング素子と前記第３スイッチング素子との間に電気的に連結され、第１電極が前記第１電源電圧線に電気的に連結され、第２電極が前記第５スイッチング素子の第１電極と前記第６スイッチング素子の制御電極との間に電気的に連結されるようにしてもよい。
【００３５】
前記第５スイッチング素子は、制御電極が前記第１クロック端子に電気的に連結され、第１電極が前記第６スイッチング素子の制御電極と前記第９スイッチング素子の制御電極との間に電気的に連結され、第２電極が第２電源電圧線に電気的に連結されるようにしてもよい。
【００３６】
前記第６スイッチング素子は、制御電極が前記第４スイッチング素子と前記第５スイッチング素子との間に電気的に連結され、第１電極が前記第１電源電圧線に電気的に連結され、第２電極が前記第７スイッチング素子の第１電極と前記第８スイッチング素子の制御電極との間に電気的に連結されるようにしてもよい。
【００３７】
前記第７スイッチング素子は、制御電極が前記第２スイッチング素子と前記第３スイッチング素子との間に電気的に連結され、第１電極が前記第８スイッチング素子の制御電極と前記負出力端子との間に電気的に連結され、第２電極が前記第２電源電圧線に電気的に連結されるようにしてもよい。
【００３８】
前記第８スイッチング素子は、制御電極が前記第６スイッチング素子と前記第７スイッチング素子との間に電気的に連結され、第１電極が前記第１電源電圧線に電気的に連結され、第２電極が前記出力端子に電気的に連結されるようにしてもよい。
【００３９】
前記第９スイッチング素子は、制御電極が前記第４スイッチング素子と前記第５スイッチング素子との間に電気的に連結され、第１電極が前記出力端子に電気的に連結され、第２電極が前記第２電源電圧線に電気的に連結されるようにしてもよい。
【００４０】
前記第３スイッチング素子の制御電極に第１電極が電気的に連結され、前記第２スイッチング素子と前記第３スイッチング素子との間に第２電極が電気的に連結された第１容量性素子をさらに含むようにしてもよい。
【００４１】
前記第９スイッチング素子の制御電極と前記第６スイッチング素子の制御電極との間に第１電極が電気的に連結され、前記第８スイッチング素子と前記第９スイッチング素子と前記出力端子との間に第２電極が電気的に連結される第２容量性素子をさらに含むようにしてもよい。
【００４２】
前記のように本発明に係る有機電界発光表示装置及びその駆動回路は、１つの発光制御駆動線が二行の画素回路に電気的に連結され、二行の画素回路に対して同時に発光制御信号を供給するので、駆動回路の面積を減少させて製造原価を節減することができる。また、発光制御駆動回路が画素回路と同様な種類のトランジスタで実現されるので、製造費用及び時間を減少させることのできる有機電界発光表示装置及びその駆動回路を提供できる。
【発明の効果】
【００４３】
本発明に係る有機電界発光表示装置及びその駆動回路は、１つの発光制御駆動線が二行の画素回路に電気的に連結され、二行の画素回路に同時に発光制御信号を供給するので、駆動回路の面積を減少させて製造原価を節減することができる。
【００４４】
また、上述したように本発明に係る有機電界発光表示装置及びその駆動回路は、発光制御駆動回路が画素回路と同様な種類のトランジスタで実現されるので、製造費用及び時間を減少させることができる。
【発明を実施するための最良の形態】
【００４５】
以下、本発明の属する技術分野における通常の知識を有する者が容易に実施できるように、この発明の実施形態を図面に基づいて説明する。
【００４６】
ここで、本発明において、類似の構成及び動作をする部分については同様な図面符号を付与した。また、いずれかの部分が他の部分と電気的に連結されていると記載されている場合には、直接的に連結されている場合のみならず、その間に他の素子を介して連結されている場合も含むものとする。
【００４７】
図２は、本発明に係る有機電界発光表示装置の構成を示す概略的なブロック図である。
【００４８】
図２に示すように、本発明の有機電界発光表示装置１００は、走査駆動部１１０、データ駆動部１２０、発光制御駆動部１３０及び有機電界発光表示パネル(以下、パネルという)１４０を含んでいる。
【００４９】
走査駆動部１１０は、複数の走査線Ｓｃａｎ[１]、Ｓｃａｎ[２]、…、Ｓｃａｎ[ｎ]を介してパネル１４０に走査信号を順次供給することができる。
【００５０】
データ駆動部１２０は、複数のデータ線Ｄａｔａ[１]、Ｄａｔａ[２]、…、Ｄａｔａ[ｍ]を介してパネル１４０にデータ信号を供給することができる。
【００５１】
発光制御駆動部１３０は、複数の発光制御線Ｅｍ[１]、Ｅｍ[２]、…、Ｅｍ[ｎ/２]を介してパネル１４０に発光制御信号を順次供給することができる。発光制御線Ｅｍ[１]、Ｅｍ[２]、…、Ｅｍ[ｎ/２]と連結されている画素回路１４１は、発光制御信号を受信して画素回路１４１で生成された電流が発光素子へ流れるタイミングを決めている。ここで、画素回路１４１は、発光制御線Ｅｍ[１]、Ｅｍ[２]、…、Ｅｍ[ｎ/２]と走査線Ｓｃａｎ[１]、Ｓｃａｎ[２]、…、Ｓｃａｎ[ｎ]との間に電気的に連結されている。発光制御線は、二行の画素回路と電気的に連結されているので、二行の画素回路に同時に発光制御信号が供給される。例えば、第１発光制御線Ｅｍ[１]は、第１走査線(Ｓｃａｎ[１])と電気的に連結された第１画素回路部の画素回路と、第２走査線(Ｓｃａｎ[２])と電気的に連結された第２画素回路部の画素回路とに連結され、第１発光制御信号を第１画素回路部と第２画素回路部の画素回路に同時に伝達している。これは、発光制御駆動部のサイズを従来の発光制御駆動部に比べて、１/２に減少できることを意味している。そして、このような発光制御駆動部を、画素回路と同様な種類のトランジスタで実現すれば、パネルを形成するときに別途の工程なしに基板上に形成することができるので、別途のチップ形態で実現する必要はなくなる。
【００５２】
また、パネル１４０は、行方向に配列されている複数の走査線Ｓｃａｎ[１]、Ｓｃａｎ[２]、…、Ｓｃａｎ[ｎ]及び発光制御線Ｅｍ[１]、Ｅｍ[２]、…、 Ｅｍ[ｎ/２]と、列方向に配列されている複数のデータ線Ｄａｔａ[１]、Ｄａｔａ[２]、…、Ｄａｔａ[ｍ]と、複数の走査線Ｓｃａｎ[１]、Ｓｃａｎ[２]、…、Ｓｃａｎ[ｎ]とデータ線Ｄａｔａ[１]、Ｄａｔａ[２]、…、Ｄａｔａ[ｍ]と発光制御線Ｅｍ[１]、Ｅｍ[２]、…、Ｅｍ[ｎ/２]とによって定義された画素回路１４１とを含む。
【００５３】
ここで、画素回路（Ｐｉｘｅｌ）は、隣り合う２つの走査線と、隣り合う２つのデータ線によって定義される画素領域に形成されている。勿論、上述したように走査線Ｓｃａｎ[１]、Ｓｃａｎ[２]、…、Ｓｃａｎ[ｎ]には、走査駆動部１１０から走査信号が供給され、データ線Ｄａｔａ[１]、Ｄａｔａ[２]、…、Ｄａｔａ[ｍ]にはデータ駆動部１２０からデータ信号が供給されている。
【００５４】
次に、図３は、本発明の一実施形態に係る発光制御駆動部１３０の構成を示すブロック図である。
【００５５】
図３に示すように、発光制御駆動部１３０は、第１発光制御駆動部Ｅｍｉｓｓｉｏｎ＿１乃至第ｎ/２発光制御駆動部Ｅｍｉｓｓｉｏｎ＿ｎ/２を含んでいる。そして、第１発光制御駆動部Ｅｍｉｓｓｉｏｎ＿１乃至第ｎ/２発光制御駆動部Ｅｍｉｓｓｉｏｎ＿ｎ/２は、第１画素回路部ＰＳ＿１乃至第ｎ画素回路部ＰＳ＿ｎと電気的に連結されて発光制御信号を画素回路部ＰＳ＿１、ＰＳ＿２、…、ＰＳ＿ｎに印加する。すなわち、ｎ個の画素回路部ＰＳ＿１、ＰＳ＿２、…、ＰＳ＿ｎに対してｎ/２個の発光制御駆動部Ｅｍｉｓｓｉｏｎ＿１、Ｅｍｉｓｓｉｏｎ＿２、…、Ｅｍｉｓｓｉｏｎ＿ｎ/２が電気的に連結されている。
【００５６】
第１発光制御駆動部Ｅｍｉｓｓｉｏｎ＿１は、第１クロック端子ｃｌｋａが第１クロック線ＣＬＫ１と電気的に連結され、第２クロック端子ｃｌｋｂが第１負クロック線ＣＬＫＢ１と電気的に連結されている。そして、入力端子Ｉｎが初期駆動線Ｓｐと電気的に連結されて初期駆動信号を受信し、出力端子Ｏｕｔと電気的に連結されている第１発光制御線Ｅｍ[１]に第１発光制御信号を出力し、負出力端子ＯｕｔＢと電気的に連結されている第１負発光制御線ＥｍＢ[１]に第１負発光制御信号を出力する。ここで、第１発光制御駆動部Ｅｍｉｓｓｉｏｎ＿１は、第１画素回路部ＰＳ＿１と第２画素回路部ＰＳ＿２にそれぞれ電気的に連結されており、第１発光制御信号を第１画素回路部ＰＳ＿１と第２画素回路部ＰＳ＿２にそれぞれ印加している。すなわち、１つの第１発光制御線Ｅｍ[１]は、２つの画素回路部ＰＳ＿１、ＰＳ＿２に電気的に連結されて第１発光制御信号を２つの画素回路部ＰＳ＿１、ＰＳ＿２に同時に印加している。これにより、従来では１つの発光制御駆動部に１つの画素回路部が電気的に連結されていたのに対して、本発明では発光制御駆動部のサイズを１/２に減少できることを意味している。
【００５７】
第２発光制御駆動部Ｅｍｉｓｓｉｏｎ＿２は、第１クロック端子ｃｌｋａが第２クロック線ＣＬＫ２と電気的に連結され、第２クロック端子ｃｌｋｂが第２負クロック線ＣＬＫＢ２と電気的に連結されている。そして、入力端子Ｉｎが第１負発光制御線ＥｍＢ[１]と電気的に連結されて第１負発光制御信号を受信し、出力端子Ｏｕｔと電気的に連結されている第２発光制御線Ｅｍ[２]に第２発光制御信号を出力し、負出力端子ＯｕｔＢと電気的に連結されている第２負発光制御線ＥｍＢ[２]に第２負発光制御信号を出力する。ここで、第２発光制御駆動部Ｅｍｉｓｓｉｏｎ＿２は、第３画素回路部ＰＳ＿３と第４画素回路部ＰＳ＿４にそれぞれ電気的に連結されており、第２発光制御信号を第３画素回路部ＰＳ＿３と第４画素回路部ＰＳ＿４にそれぞれ印加している。すなわち、１つの第２発光制御線Ｅｍ[２]は、２つの画素回路部ＰＳ＿３、ＰＳ＿４に電気的に連結されて第２発光制御信号を２つの画素回路部ＰＳ＿３、ＰＳ＿４に同時に印加している。これにより、従来では１つの発光制御駆動部に１つの画素回路部が電気的に連結されていたのに対して、本発明では発光制御駆動部のサイズを１/２に減少できることを意味している。
【００５８】
第３発光制御駆動部Ｅｍｉｓｓｉｏｎ＿３は、第１クロック端子ｃｌｋａが第１負クロック線ＣＬＫＢ１と電気的に連結され、第２クロック端子ｃｌｋｂが第１クロック線ＣＬＫ１と電気的に連結されている。そして、入力端子Ｉｎが第２負発光制御線ＥｍＢ[２]と電気的に連結されて第２負発光制御信号を受信し、出力端子Ｏｕｔと電気的に連結されている第３発光制御線Ｅｍ[３]に第３発光制御信号を出力し、負出力端子ＯｕｔＢと電気的に連結されている第３負発光制御線ＥｍＢ[３]に第３負発光制御信号を出力する。ここで、第３発光制御駆動部Ｅｍｉｓｓｉｏｎ＿３は、第５画素回路部ＰＳ＿５と第６画素回路部ＰＳ＿６にそれぞれ電気的に連結されており、第３発光制御信号を第５画素回路部ＰＳ＿５と第６画素回路部ＰＳ＿６にそれぞれ印加している。すなわち、１つの第３発光制御線Ｅｍ[３]は、２つの画素回路部ＰＳ＿５、ＰＳ＿６に電気的に連結されて第３発光制御信号を２つの画素回路部ＰＳ＿５、ＰＳ＿６に同時に印加している。これにより、従来では１つの発光制御駆動部に１つの画素回路部が電気的に連結されていたのに対して、本発明では発光制御駆動部のサイズを１/２に減少できることを意味している。
【００５９】
第４発光制御駆動部Ｅｍｉｓｓｉｏｎ＿４は、第１クロック端子ｃｌｋａが第２負クロック線ＣＬＫＢ２と電気的に連結され、第２クロック端子ｃｌｋｂが第２クロック線ＣＬＫ２と電気的に連結されている。そして、入力端子Ｉｎが第３負発光制御線ＥｍＢ[３]と電気的に連結されて第３負発光制御信号を受信し、出力端子Ｏｕｔと電気的に連結されている第４発光制御線Ｅｍ[４]に第４発光制御信号を出力し、負出力端子ＯｕｔＢと電気的に連結されている第４負発光制御線ＥｍＢ[４]に第４負発光制御信号を出力する。ここで、第４発光制御駆動部Ｅｍｉｓｓｉｏｎ＿４は、第７画素回路部ＰＳ＿７と第８画素回路部ＰＳ＿８にそれぞれ電気的に連結されており、第４発光制御信号を第７画素回路部ＰＳ＿７と第８画素回路部ＰＳ＿８にそれぞれ印加している。すなわち、１つの第４発光制御線Ｅｍ[４]は、２つの画素回路部ＰＳ＿７、ＰＳ＿８に電気的に連結されて第４発光制御信号を２つの画素回路部ＰＳ＿７、ＰＳ＿８に同時に印加している。これにより、従来では１つの発光制御駆動部に１つの画素回路部が電気的に連結されていたのに対して、本発明では発光制御駆動部のサイズを１/２に減少できることを意味している。
【００６０】
以下、発光制御駆動部Ｅｍｉｓｓｉｏｎ＿５乃至Ｅｍｉｓｓｉｏｎ＿ｎ/２のうち奇数番目の発光制御駆動部は、第１クロック線ＣＬＫ１と第１負クロック線ＣＬＫＢ１のいずれかが第１クロック端子ｃｌｋａと第２クロック端子ｃｌｋｂに連結され、偶数番目の発光制御駆動部は、第２クロック線ＣＬＫ２と第２負クロック線ＣＬＫＢ２のいずれかが第１クロック端子ｃｌｋａと第２クロック端子ｃｌｋｂに連結されている。また、入力端子は、前段の発光制御駆動部の負発光制御線に電気的に連結され、出力端子Ｏｕｔから発光制御線に発光制御信号を出力し、負出力端子ＯｕｔＢから負発光制御線に負発光制御信号を出力する。
【００６１】
次に、図４は、図３に示した発光制御駆動部を構成する発光制御駆動回路の回路図を示している。
【００６２】
図４に示すように、発光制御駆動回路は、第１スイッチング素子Ｓ１、第２スイッチング素子Ｓ２、第３スイッチング素子Ｓ３、第４スイッチング素子Ｓ４、第５スイッチング素子Ｓ５、第６スイッチング素子Ｓ６、第７スイッチング素子Ｓ７、第８スイッチング素子Ｓ８、第９スイッチング素子Ｓ９、第１容量性素子Ｃ１及び第２容量性素子Ｃ２を含んでいる。
【００６３】
第１スイッチング素子Ｓ１は、第１電極(ドレイン電極またはソース電極)が第３スイッチング素子Ｓ３の制御電極に電気的に連結され、第２電極(ソース電極またはドレイン電極)が入力端子Ｉｎに電気的に連結され、制御電極(ゲート電極)が第１クロック端子ｃｌｋａに電気的に連結されている。このような第１スイッチング素子Ｓ１は、制御電極にローレベルのクロック信号が印加されたときにターンオンされて入力端子Ｉｎから入力される信号を第３スイッチング素子Ｓ３の制御電極に印加する。
【００６４】
第２スイッチング素子Ｓ２は、第１電極が第１電源電圧線ＶＤＤに電気的に連結され、第２電極が第３スイッチング素子Ｓ３の第１電極と第４スイッチング素子Ｓ４の制御電極と第７スイッチング素子Ｓ７の制御電極との間に電気的に連結され、制御電極が第１クロック端子ｃｌｋａに電気的に連結されている。このような第２スイッチング素子Ｓ２は、制御電極にローレベルのクロック信号が印加されたときにターンオンされて第１電源電圧線ＶＤＤから入力される第１電源電圧を第４スイッチング素子Ｓ４の制御電極と第７スイッチング素子Ｓ７の制御電極に印加する。
【００６５】
第３スイッチング素子Ｓ３は、第１電極が第４スイッチング素子Ｓ４の制御電極と第７スイッチング素子Ｓ７の制御電極との間に電気的に連結され、第２電極が第２クロック端子ｃｌｋｂに電気的に連結され、制御電極が第１スイッチング素子Ｓ１の第１電極に電気的に連結されている。このような第３スイッチング素子Ｓ３は、制御電極に第１スイッチング素子Ｓ１から伝達されるローレベルの入力信号が印加されたときにターンオンされて第２クロック端子ｃｌｋｂから入力されるクロック信号を第４スイッチング素子Ｓ４の制御電極と第７スイッチング素子Ｓ７の制御電極に印加する。
【００６６】
第４スイッチング素子Ｓ４は、第１電極が第１電源電圧線ＶＤＤに電気的に連結され、第２電極が第５スイッチング素子Ｓ５の第１電極と第６スイッチング素子Ｓ６の制御電極と第９スイッチング素子Ｓ９の制御電極との間に電気的に連結され、制御電極が第２スイッチング素子Ｓ２と第３スイッチング素子Ｓ３との間に電気的に連結されている。このような第４スイッチング素子Ｓ４は、制御電極に第３スイッチング素子Ｓ３から伝達されるローレベルのクロック信号が印加されたときにターンオンされて第１電源電圧線ＶＤＤから入力される第１電源電圧を第６スイッチング素子Ｓ６の制御電極と第９スイッチング素子Ｓ９の制御電極に印加する。
【００６７】
第５スイッチング素子Ｓ５は、第１電極が第６スイッチング素子Ｓ６の制御電極と第９スイッチング素子Ｓ９の制御電極との間に電気的に連結され、第２電極が第２電源電圧線ＶＳＳに電気的に連結され、制御電極が第１クロック端子ｃｌｋａに電気的に連結されている。このような第５スイッチング素子Ｓ５は、制御電極にローレベルのクロック信号が印加されたときにターンオンされて第２電源電圧線ＶＳＳから入力される第２電源電圧を第６スイッチング素子Ｓ６の制御電極と第９スイッチング素子Ｓ９の制御電極に印加する。
【００６８】
第６スイッチング素子Ｓ６は、第１電極が第１電源電圧線ＶＤＤに電気的に連結され、第２電極が第７スイッチング素子Ｓ７の第１電極と第８スイッチング素子Ｓ８の制御電極と負出力端子ＯｕｔＢとの間に電気的に連結され、制御電極が第４スイッチング素子Ｓ４と第５スイッチング素子Ｓ５との間に電気的に連結されている。このような第６スイッチング素子Ｓ６は、制御電極に第５スイッチング素子Ｓ５から伝達される第２電源電圧が印加されたときにターンオンされて第１電源電圧線ＶＤＤから入力される第１電源電圧を第８スイッチング素子Ｓ８の制御電極と負出力端子ＯｕｔＢに出力する。
【００６９】
第７スイッチング素子Ｓ７は、第１電極が第８スイッチング素子Ｓ８の制御電極と負出力端子ＯｕｔＢとの間に電気的に連結され、第２電極が第２電源電圧線ＶＳＳに電気的に連結され、制御電極が第２スイッチング素子Ｓ２と第３スイッチング素子Ｓ３との間に電気的に連結されている。このような第７スイッチング素子Ｓ７は、制御電極に第３スイッチング素子Ｓ３から伝達されるローレベルのクロック信号が印加されたときにターンオンされて第２電源電圧線ＶＳＳから入力される第２電源電圧を第８スイッチング素子Ｓ８の制御電極と負出力端子ＯｕｔＢに出力する。
【００７０】
第８スイッチング素子Ｓ８は、第１電極が第１電源電圧線ＶＤＤに電気的に連結され、第２電極が第９スイッチング素子Ｓ９の第１電極と出力端子Ｏｕｔとの間に電気的に連結され、制御電極が第６スイッチング素子Ｓ６と第７スイッチング素子Ｓ７との間に電気的に連結されている。このような第８スイッチング素子Ｓ８は、制御電極に第７スイッチング素子Ｓ７から伝達される第２電源電圧が印加されたときにターンオンされて第１電源電圧線ＶＤＤから入力される第１電源電圧を出力端子Ｏｕｔに出力する。
【００７１】
第９スイッチング素子Ｓ９は、第１電極が出力端子Ｏｕｔに電気的に連結され、第２電極が第２電源電圧線ＶＳＳに電気的に連結され、制御電極が第４スイッチング素子Ｓ４と第５スイッチング素子Ｓ５との間に電気的に連結されている。このような第９スイッチング素子Ｓ９は、制御電極に第５スイッチング素子Ｓ５から伝達される第２電源電圧が印加されたときにターンオンされて第２電源電圧線ＶＳＳから入力される第２電源電圧を出力端子Ｏｕｔに出力する。
【００７２】
第１容量性素子Ｃ１は、第１電極が第１スイッチング素子Ｓ１の第１電極と第３スイッチング素子Ｓ３の制御電極との間に電気的に連結され、第２電極が第２スイッチング素子Ｓ２と第３スイッチング素子Ｓ３との間に電気的に連結されている。このような第１容量性素子Ｃ１は、第３スイッチング素子Ｓ３の第１電極と制御電極との間に電圧差を保存する。
【００７３】
第２容量性素子Ｃ２は、第１電極が第９スイッチング素子Ｓ９の制御電極に電気的に連結され、第２電極が第８スイッチング素子Ｓ８と第９スイッチング素子Ｓ９と出力端子Ｏｕｔとの間に電気的に連結されている。このような第２容量性素子Ｃ２は、第９スイッチング素子Ｓ９の第１電極と制御電極との間に電圧差を保存する。
【００７４】
ここで、有機電界発光表示装置の画素回路と発光制御駆動回路が同様な種類のトランジスタで形成されていれば、基板に画素回路を生成するのと同時に発光制御駆動回路を形成することができるので、製造工程を容易に行うことができる。また、同様な基板上に画素回路と発光制御駆動回路とを生成すれば、有機電界発光表示装置のサイズ、重さ及び原価等を減少させることができる。図４の発光制御駆動回路では、ＰＭＯＳトランジスタ(第１スイッチング素子乃至第９スイッチング素子)を用いて構成したので、ＰＭＯＳトランジスタで形成された画素回路と同様な基板上に形成することにより、工程を容易にすることができる。
【００７５】
図５は、図４に示した発光制御駆動回路の動作タイミングを示すタイミングチャートである。
【００７６】
また、図５に示す発光制御駆動回路の各タイミングにおける動作を図６〜図８に示す。図６は第１駆動期間Ｔ５１における動作を示し、図７は第２駆動期間Ｔ５２における動作を示し、図８は第３駆動期間Ｔ５３における動作を示している。ここで、図４の発光制御駆動回路の動作について、図５のタイミングチャートと図６乃至図８を参照して説明する。
【００７７】
図６は、図４に示した発光制御駆動回路の第１駆動期間Ｔ５１における動作を示している。
【００７８】
第１駆動期間Ｔ５１では、第１クロック端子ｃｌｋａにローレベルのクロック信号が印加されるので、第１スイッチング素子Ｓ１と第２スイッチング素子Ｓ２と第５スイッチング素子Ｓ５とがターンオンされる。まず、第１スイッチング素子Ｓ１は、ターンオンされて入力端子Ｉｎに印加されるローレベルの入力信号を第３スイッチング素子Ｓ３の制御電極に印加する。ローレベルの入力信号が伝達された第３スイッチング素子Ｓ３は、ターンオンされて第２クロック端子ｃｌｋｂから印加されるハイレベルのクロック信号を第４スイッチング素子Ｓ４の制御電極と第７スイッチング素子Ｓ７の制御電極に印加する。
【００７９】
次に、第２スイッチング素子Ｓ２は、ターンオンされて第１電源電圧線ＶＤＤの第１電源電圧を第４スイッチング素子Ｓ４と第７スイッチング素子Ｓ７の制御電極に印加する。ハイレベルのクロック信号と第１電源電圧が伝達された第４スイッチング素子Ｓ４と第７スイッチング素子Ｓ７はターンオフされる。ここで、 第３スイッチング素子の第１電極と制御電極との間に連結されている第１容量性素子Ｃ１は、第１スイッチング素子Ｓ１から伝達された入力信号と第２スイッチング素子Ｓ２から伝達された第１電源電圧との電圧差に当たる電圧を保存する。
【００８０】
次に、第５スイッチング素子Ｓ５は、ターンオンされて第２電源電圧線ＶＳＳの第２電源電圧を第６スイッチング素子Ｓ６と第９スイッチング素子Ｓ９の制御電極に伝達して第６スイッチング素子Ｓ６と第９スイッチング素子Ｓ９をターンオンする。第６スイッチング素子Ｓ６は、ターンオンされて第１電源電圧線ＶＤＤの第１電源電圧を第８スイッチング素子Ｓ８の制御電極と負出力端子ＯｕｔＢに印加して、第８スイッチング素子Ｓ８をターンオフし、負出力端子ＯｕｔＢから第１電源電圧を出力する。また、第９スイッチング素子Ｓ９は、ターンオンされて第２電源電圧線ＶＳＳの第２電源電圧を出力端子Ｏｕｔに出力する。この時、第２容量性素子Ｃ２は、第５スイッチング素子Ｓ５から伝達された第２電源電圧と第９スイッチング素子Ｓ９から伝達された第２電源電圧との電圧差に当たる電圧を保存する。このような第２容量性素子Ｃ２に保存された電圧は、第２電源電圧の出力時に駆動回路で損失する電圧を補償する。
【００８１】
次に、図７は、図４に示した発光制御駆動回路の第２駆動期間Ｔ５２における動作を示している。
【００８２】
第２駆動期間Ｔ５２では、第１クロック端子ｃｌｋａにハイレベルのクロック信号が印加され、第１スイッチング素子Ｓ１と第２スイッチング素子Ｓ２と第５スイッチング素子Ｓ５とがターンオフされる。この時、第３スイッチング素子Ｓ３は、第１駆動期間Ｔ５１で第１容量性素子Ｃ１に保存された電圧によってターンオンされ、第２クロック端子ｃｌｋｂから印加されるローレベルのクロック信号を第４スイッチング素子Ｓ４と第７スイッチング素子Ｓ７の制御電極に伝達する。第４スイッチング素子Ｓ４と第７スイッチング素子Ｓ７は、ローレベルのクロック信号を受けてターンオンされる。まず、第４スイッチング素子Ｓ４は、ターンオンされて第１電源電圧線ＶＤＤの第１電源電圧を第６スイッチング素子Ｓ６と第９スイッチング素子Ｓ９の制御電極に伝達して、第６スイッチング素子Ｓ６と第９スイッチング素子Ｓ９とをターンオフする。
【００８３】
次に、第７スイッチング素子Ｓ７は、ターンオンされて第２電源電圧線ＶＳＳの第２電源電圧を第８スイッチング素子Ｓ８の制御電極と負出力端子ＯｕｔＢに印加して第８スイッチング素子Ｓ８をターンオンし、負出力端子ＯｕｔＢから第２電源電圧を出力する。そして、第８スイッチング素子Ｓ８はターンオンされて第１電源電圧線ＶＤＤの第１電源電圧を出力端子Ｏｕｔに出力する。この時、第２容量性素子Ｃ２に保存される電圧は、第４スイッチング素子Ｓ４から伝達された第１電源電圧と第８スイッチング素子Ｓ８から伝達された第１電源電圧との電圧差に当たる電圧となる。このようにして第２容量性素子Ｃ２に保存された電圧は、第１電源電圧の出力時に駆動回路で損失される電圧を補償する。そして、第１スイッチング素子Ｓ１がターンオフされているので、入力端子Ｉｎに印加される入力信号がハイレベルであってもローレベルであっても、発光制御駆動回路は関係なく動作する。
【００８４】
次に、図８は、図４に示した発光制御駆動回路の第３駆動期間Ｔ５３における動作を示している。
【００８５】
第３駆動期間Ｔ５３では、第１クロック端子ｃｌｋａにローレベルのクロック信号が印加されるので、第１スイッチング素子Ｓ１と第２スイッチング素子Ｓ２と第５スイッチング素子Ｓ５がターンオンされる。まず、第１スイッチング素子Ｓ１は、ターンオンされて入力端子Ｉｎから伝達されるハイレベルの入力信号を第３スイッチング素子Ｓ３の制御電極に印加して第３スイッチング素子Ｓ３はターンオフされる。
【００８６】
次に、第２スイッチング素子Ｓ２は、ターンオンされて第１電源電圧線ＶＤＤの第１電源電圧を第４スイッチング素子Ｓ４と第７スイッチング素子Ｓ７の制御電極に印加する。第２スイッチング素子Ｓ２から伝達された第１電源電圧により、第４スイッチング素子Ｓ４と第７スイッチング素子Ｓ７はターンオフされる。
【００８７】
次に、第５スイッチング素子Ｓ５は、ターンオンされて第２電源電圧線ＶＳＳの第２電源電圧を第６スイッチング素子Ｓ６と第９スイッチング素子Ｓ９の制御電極に伝達し、第６スイッチング素子Ｓ６と第９スイッチング素子Ｓ９とをターンオンする。第６スイッチング素子Ｓ６は、ターンオンされて、第１電源電圧線ＶＤＤの第１電源電圧を第８スイッチング素子Ｓ８の制御電極と負出力端子ＯｕｔＢに印加して第８スイッチング素子Ｓ８をターンオフし、負出力端子ＯｕｔＢから第１電源電圧を出力する。そして、第９スイッチング素子Ｓ９は、ターンオンされて、第２電源電圧線ＶＳＳの第２電源電圧を出力端子Ｏｕｔに出力する。この時、第２容量性素子Ｃ２は、第５スイッチング素子Ｓ５から伝達された第２電源電圧と第９スイッチング素子Ｓ９から伝達された第２電源電圧の電圧差に当たる電圧を保存する。このような第２容量性素子Ｃ２に保存された電圧は、第２電源電圧の出力時に駆動回路で損失される電圧を補償する。
【００８８】
次に、図９は、図３に示した発光制御駆動部を構成する発光制御駆動回路の他の形態の回路図を示している。
【００８９】
図９に示すように、本実施形態の発光制御駆動回路は、第１スイッチング素子Ｓ１、第２スイッチング素子Ｓ２、第３スイッチング素子Ｓ３、第４スイッチング素子Ｓ４、第５スイッチング素子Ｓ５、第６スイッチング素子Ｓ６、第７スイッチング素子Ｓ７、第８スイッチング素子Ｓ８、第９スイッチング素子Ｓ９、第１容量性素子Ｃ１及び第２容量性素子Ｃ２を含んでいる。
【００９０】
第１スイッチング素子Ｓ１は、第１電極(ドレイン電極またはソース電極)が第３スイッチング素子Ｓ３の制御電極に電気的に連結され、第２電極(ソース電極またはドレイン電極)が入力端子Ｉｎに電気的に連結され、制御電極(ゲート電極)が入力端子Ｉｎに電気的に連結されている。このような第１スイッチング素子Ｓ１は、制御電極にローレベルの入力信号が印加されたときにターンオンされて入力端子Ｉｎに入力される入力信号を第３スイッチング素子Ｓ３の制御電極に印加する。
【００９１】
第２スイッチング素子Ｓ２は、第１電極が第１電源電圧線ＶＤＤに電気的に連結され、第２電極が第３スイッチング素子Ｓ３の第１電極と第４スイッチング素子Ｓ４の制御電極と第７スイッチング素子Ｓ７の制御電極との間に電気的に連結され、制御電極が第１クロック端子ｃｌｋａに電気的に連結されている。このような第２スイッチング素子Ｓ２は、制御電極にローレベルのクロック信号が印加されたときにターンオンされて第１電源電圧線ＶＤＤから入力される第１電源電圧を第４スイッチング素子Ｓ４の制御電極と第７スイッチング素子Ｓ７の制御電極に印加する。
【００９２】
第３スイッチング素子Ｓ３は、第１電極が第４スイッチング素子Ｓ４の制御電極と第７スイッチング素子Ｓ７の制御電極との間に電気的に連結され、第２電極が第２クロック端子ｃｌｋｂに電気的に連結され、制御電極が第１スイッチング素子Ｓ１の第１電極に電気的に連結されている。このような第３スイッチング素子Ｓ３は、制御電極に第１スイッチング素子Ｓ１から伝達されるローレベルの入力信号が印加されたときにターンオンされて第２クロック端子ｃｌｋｂから入力されるクロック信号を第４スイッチング素子Ｓ４の制御電極と第７スイッチング素子Ｓ７の制御電極に印加する。
【００９３】
第４スイッチング素子Ｓ４は、第１電極が第１電源電圧線ＶＤＤに電気的に連結され、第２電極が第５スイッチング素子Ｓ５の第１電極と第６スイッチング素子Ｓ６の制御電極と第９スイッチング素子Ｓ９の制御電極との間に電気的に連結され、制御電極が第２スイッチング素子Ｓ２と第３スイッチング素子Ｓ３との間に電気的に連結されている。このような第４スイッチング素子Ｓ４は、制御電極に第３スイッチング素子Ｓ３から伝達されるローレベルのクロック信号が印加されたときにターンオンされて第１電源電圧線ＶＤＤから入力される第１電源電圧を第６スイッチング素子Ｓ６の制御電極と第９スイッチング素子Ｓ９の制御電極に印加する。
【００９４】
第５スイッチング素子Ｓ５は、第１電極が第６スイッチング素子Ｓ６の制御電極と第９スイッチング素子Ｓ９の制御電極との間に電気的に連結され、第２電極が第２電源電圧線ＶＳＳに電気的に連結され、制御電極が第１クロック端子ｃｌｋａに電気的に連結されている。このような第５スイッチング素子Ｓ５は、制御電極にローレベルのクロック信号が印加されたときにターンオンされて第２電源電圧線ＶＳＳから入力される第２電源電圧を第６スイッチング素子Ｓ６の制御電極と第９スイッチング素子Ｓ９の制御電極に印加する。
【００９５】
第６スイッチング素子Ｓ６は、第１電極が第１電源電圧線ＶＤＤに電気的に連結され、第２電極が第７スイッチング素子Ｓ７の第１電極と第８スイッチング素子Ｓ８の制御電極と負出力端子ＯｕｔＢとの間に電気的に連結され、制御電極が第４スイッチング素子Ｓ４と第５スイッチング素子Ｓ５との間に電気的に連結されている。このような第６スイッチング素子Ｓ６は、制御電極に第５スイッチング素子Ｓ５から伝達される第２電源電圧が印加されたときにターンオンされて第１電源電圧線ＶＤＤから入力される第１電源電圧を第８スイッチング素子Ｓ８の制御電極と負出力端子ＯｕｔＢに出力する。
【００９６】
第７スイッチング素子Ｓ７は、第１電極が第８スイッチング素子Ｓ８の制御電極と負出力端子ＯｕｔＢとの間に電気的に連結され、第２電極が第２電源電圧線ＶＳＳに電気的に連結され、制御電極が第２スイッチング素子Ｓ２と第３スイッチング素子Ｓ３との間に電気的に連結されている。このような第７スイッチング素子Ｓ７は、制御電極に第３スイッチング素子Ｓ３から伝達されるローレベルのクロック信号が印加されたときにターンオンされて第２電源電圧線ＶＳＳから入力される第２電源電圧を第８スイッチング素子Ｓ８の制御電極と負出力端子ＯｕｔＢに出力する。
【００９７】
第８スイッチング素子Ｓ８は、第１電極が第１電源電圧線ＶＤＤに電気的に連結され、第２電極が第９スイッチング素子Ｓ９の第１電極と出力端子Ｏｕｔとの間に電気的に連結され、制御電極が第６スイッチング素子Ｓ６と第７スイッチング素子Ｓ７との間に電気的に連結されている。このような第８スイッチング素子Ｓ８は、制御電極に第７スイッチング素子Ｓ７から伝達される第２電源電圧が印加されたときにターンオンされて第１電源電圧線ＶＤＤから入力される第１電源電圧を出力端子Ｏｕｔに出力する。
【００９８】
第９スイッチング素子Ｓ９は、第１電極が出力端子Ｏｕｔに電気的に連結され、第２電極が第２電源電圧線ＶＳＳに電気的に連結され、制御電極が第４スイッチング素子Ｓ４と第５スイッチング素子Ｓ５との間に電気的に連結されている。このような第９スイッチング素子Ｓ９は、制御電極に第５スイッチング素子Ｓ５から伝達される第２電源電圧が印加されたときにターンオンされて第２電源電圧線ＶＳＳから入力される第２電源電圧を出力端子Ｏｕｔに出力する。
【００９９】
第１容量性素子Ｃ１は、第１電極が第１スイッチング素子Ｓ１の第１電極と第３スイッチング素子Ｓ３の制御電極との間に電気的に連結され、第２電極が第２スイッチング素子Ｓ２と第３スイッチング素子Ｓ３との間に電気的に連結されている。このような第１容量性素子Ｃ１は、第３スイッチング素子Ｓ３の第１電極と制御電極との間に電圧差を保存する。
【０１００】
第２容量性素子Ｃ２は、第１電極が第９スイッチング素子Ｓ９の制御電極に電気的に連結され、第２電極が第８スイッチング素子Ｓ８と第９スイッチング素子Ｓ９と出力端子Ｏｕｔとの間に電気的に連結されている。このような第２容量性素子Ｃ２は、第９スイッチング素子Ｓ９の第１電極と制御電極との間に電圧差を保存する。
【０１０１】
ここで、有機電界発光表示装置の画素回路と発光制御駆動回路とが、同様なトランジスタによって形成されていれば、基板に画素回路を形成するときに同じ基板に発光制御駆動回路も形成することができるので、製造工程を容易にすることができる。さらに、同様な基板上に画素回路と発光制御駆動回路を形成すれば、有機電界発光表示装置のサイズと重さ及び原価等を減少させることも可能である。図９の発光制御駆動回路は、ＰＭＯＳトランジスタ(第１スイッチング素子乃至第９スイッチング素子)を用いて構成したので、ＰＭＯＳトランジスタで構成されている画素回路と同様な基板上に形成することにより、製造工程を容易にすることができる。
【０１０２】
図１０は、図９に示した発光制御駆動回路の動作タイミングを示すタイミングチャートである。
【０１０３】
図１０に示すように、発光制御駆動回路の動作では、第１駆動期間Ｔ５１、第２駆動期間Ｔ５２及び第３駆動期間Ｔ５３を含んでいる。
【０１０４】
第１駆動期間Ｔ５１では、入力端子Ｉｎにローレベルの入力信号が印加されて第１スイッチング素子Ｓ１がターンオンされ、第１クロック端子ｃｌｋａにローレベルのクロック信号が印加されて第２スイッチング素子Ｓ２と第５スイッチング素子Ｓ５とがターンオンされる。まず、第１スイッチング素子Ｓ１は、ターンオンされて入力端子Ｉｎから入力されるローレベルの入力信号が第３スイッチング素子Ｓ３の制御電極に印加される。ローレベルの入力信号が伝達された第３スイッチング素子Ｓ３は、ターンオンされて第２クロック端子ｃｌｋｂから入力されるハイレベルのクロック信号を第４スイッチング素子Ｓ４の制御電極と第７スイッチング素子Ｓ７の制御電極に印加する。次に、第２スイッチング素子Ｓ２は、ターンオンされて第１電源電圧線ＶＤＤの第１電源電圧を第４スイッチング素子Ｓ４と第７スイッチング素子Ｓ７の制御電極に印加する。ハイレベルのクロック信号と第１電源電圧が伝達された第４スイッチング素子Ｓ４と第７スイッチング素子Ｓ７とはターンオフされる。ここで、第３スイッチング素子の第１電極と制御電極との間に連結されている第１容量性素子Ｃ１は、第１スイッチング素子Ｓ１から伝達された入力信号と第２スイッチング素子Ｓ２から伝達された第１電源電圧との電圧差に当たる電圧を保存する。次に、第５スイッチング素子Ｓ５は、ターンオンされて第２電源電圧線ＶＳＳの第２電源電圧を第６スイッチング素子Ｓ６と第９スイッチング素子Ｓ９の制御電極に伝達し、第６スイッチング素子Ｓ６と第９スイッチング素子Ｓ９はターンオンされる。第６スイッチング素子Ｓ６は、ターンオンされて第１電源電圧線ＶＤＤの第１電源電圧を第８スイッチング素子Ｓ８の制御電極と負出力端子ＯｕｔＢに印加し、第８スイッチング素子Ｓ８はターンオフされ、負出力端子ＯｕｔＢからは第１電源電圧が出力される。そして、第９スイッチング素子Ｓ９は、ターンオンされて第２電源電圧線ＶＳＳの第２電源電圧を出力端子Ｏｕｔに出力する。この時、第２容量性素子Ｃ２は、第５スイッチング素子Ｓ５から伝達された第２電源電圧と第９スイッチング素子Ｓ９から伝達された第２電源電圧との電圧差に当たる電圧を保存する。このような第２容量性素子Ｃ２に保存された電圧は、第２電源電圧の出力時に駆動回路で損失される電圧を補償する。
【０１０５】
次に、第２駆動期間Ｔ５２では、入力端子Ｉｎにハイレベルの入力信号が印加されて第１スイッチング素子Ｓ１がターンオフされ、第１クロック端子ｃｌｋａにハイレベルのクロック信号が印加されて第２スイッチング素子Ｓ２と第５スイッチング素子Ｓ５がターンオフされる。この時、第３スイッチング素子Ｓ３は、第１駆動期間Ｔ５１で第１容量性素子Ｃ１に保存された電圧によってターンオンされて第２クロック端子ｃｌｋｂから印加されるローレベルのクロック信号を第４スイッチング素子Ｓ４と第７スイッチング素子Ｓ７の制御電極に伝達する。第４スイッチング素子Ｓ４と第７スイッチング素子Ｓ７は、ローレベルのクロック信号が伝達されてターンオンされる。まず、第４スイッチング素子Ｓ４は、ターンオンされて第１電源電圧線ＶＤＤの第１電源電圧を第６スイッチング素子Ｓ６と第９スイッチング素子Ｓ９の制御電極に伝達し、第６スイッチング素子Ｓ６と第９スイッチング素子Ｓ９をターンオフする。次に、第７スイッチング素子Ｓ７は、ターンオンされて第２電源電圧線ＶＳＳの第２電源電圧を第８スイッチング素子Ｓ８の制御電極と負出力端子ＯｕｔＢに印加して第８スイッチング素子Ｓ８をターンオンし、負出力端子ＯｕｔＢから第２電源電圧を出力する。そして、第８スイッチング素子Ｓ８は、ターンオンされて第１電源電圧線ＶＤＤの第１電源電圧を出力端子Ｏｕｔに出力する。この時、第２容量性素子Ｃ２に保存された電圧は、第４スイッチング素子Ｓ４から伝達された第１電源電圧と第８スイッチング素子Ｓ８から伝達された第１電源電圧との電圧差に当たる電圧を保存する。このような第２容量性素子Ｃ２に保存された電圧は、第１電源電圧の出力時に駆動回路で損失される電圧を補償する。
【０１０６】
第３駆動期間Ｔ５３では、入力端子Ｉｎにハイレベルの入力信号が印加されて第１スイッチング素子Ｓ１がターンオフされ、第１クロック端子ｃｌｋａにローレベルのクロック信号が印加されて第２スイッチング素子Ｓ２と第５スイッチング素子Ｓ５とがターンオンされる。この時、第３スイッチング素子Ｓ３は、第１駆動期間Ｔ５１で第１容量性素子Ｃ１に保存された電圧によってターンオンされて第２クロック端子ｃｌｋｂから印加されるハイレベルのクロック信号を第４スイッチング素子Ｓ４と第７スイッチング素子Ｓ７の制御電極に伝達する。次に、第２スイッチング素子Ｓ２は、ターンオンされて第１電源電圧線ＶＤＤの第１電源電圧を第４スイッチング素子Ｓ４と第７スイッチング素子Ｓ７の制御電極に印加する。第２スイッチング素子Ｓ２から伝達された第１電源電圧により、第４スイッチング素子Ｓ４と第７スイッチング素子Ｓ７はターンオフされる。次に、第５スイッチング素子Ｓ５は、ターンオンされて第２電源電圧線ＶＳＳの第２電源電圧を第６スイッチング素子Ｓ６と第９スイッチング素子Ｓ９の制御電極に伝達し、第６スイッチング素子Ｓ６と第９スイッチング素子Ｓ９はターンオンされる。第６スイッチング素子Ｓ６は、ターンオンされて第１電源電圧線ＶＤＤの第１電源電圧を第８スイッチング素子Ｓ８の制御電極と負出力端子ＯｕｔＢに印加し、第８スイッチング素子Ｓ８はターンオフされ、負出力端子ＯｕｔＢから第１電源電圧を出力する。そして、第９スイッチング素子Ｓ９は、ターンオンされて第２電源電圧線ＶＳＳの第２電源電圧を出力端子Ｏｕｔに出力する。この時、第２容量性素子Ｃ２は、第５スイッチング素子Ｓ５から伝達された第２電源電圧と第９スイッチング素子Ｓ９から伝達された第２電源電圧との電圧差に当たる電圧を保存する。このような第２容量性素子Ｃ２に保存された電圧は、第２電源電圧の出力時に駆動回路で損失される電圧を補償する。
【０１０７】
図１１は、図３に示した発光制御駆動部の動作タイミングを示したタイミングチャートである。ここで、発光制御駆動部１３０は、図４または図９に示した発光制御駆動回路によって構成されている。すなわち、第１発光制御駆動部Ｅｍｉｓｓｉｏｎ＿１乃至第ｎ/２発光制御駆動部Ｅｍｉｓｓｉｏｎ＿ｎ/２の動作は、図５または図１０で示した発光制御駆動回路の動作を示すタイミングチャートと同様な動作をする。
【０１０８】
図１１に示すように、発光制御駆動部１３０の動作タイミングは、第１駆動期間Ｔ１、第２駆動期間Ｔ２、第３駆動期間Ｔ３、第４駆動期間Ｔ４及び第５駆動期間Ｔ５を含んでいる。
【０１０９】
まず、第１駆動期間Ｔ１において、第１発光制御駆動部Ｅｍｉｓｓｉｏｎ＿１は、第１クロック端子ｃｌｋａが第１クロック線ＣＬＫ１に電気的に連結され、第２クロック端子ｃｌｋｂが第１負クロック線ＣＬＫＢ１に電気的に連結され、入力端子Ｉｎが初期駆動線Ｓｐに電気的に連結されている。第１発光制御駆動部Ｅｍｉｓｓｉｏｎ＿１は、ローレベルの第１クロック信号とハイレベルの第１負クロック信号及びローレベルの初期駆動信号が入力されて出力端子Ｏｕｔから第１発光制御線Ｅｍ[１]にローレベルの第１発光制御信号を出力し、負出力端子ＯｕｔＢから第１負発光制御線ＥｍＢ[１]にハイレベルの第１負発光制御信号を出力する。この時、第１発光制御駆動部Ｅｍｉｓｓｉｏｎ＿１は、図５または図１０で示した第１駆動期間Ｔ５１の発光制御駆動回路と同一な動作をする。
【０１１０】
次に、第２駆動期間Ｔ２において、第１発光制御駆動部Ｅｍｉｓｓｉｏｎ＿１は、第１クロック端子ｃｌｋａが第１クロック線ＣＬＫ１に電気的に連結され、第２クロック端子ｃｌｋｂが第１負クロック線ＣＬＫＢ１に電気的に連結され、入力端子Ｉｎが初期駆動線Ｓｐに電気的に連結されている。第１発光制御駆動部Ｅｍｉｓｓｉｏｎ＿１は、ハイレベルの第１クロック信号とローレベルの第１負クロック信号及びハイレベルの初期駆動信号が入力されて出力端子Ｏｕｔから第１発光制御線Ｅｍ[１]にハイレベルの第１発光制御信号を出力し、負出力端子ＯｕｔＢから第１負発光制御線ＥｍＢ[１]にローレベルの第１負発光制御信号を出力する。この時、第１発光制御駆動部Ｅｍｉｓｓｉｏｎ＿１は、図５または図１０で示した第２駆動期間Ｔ５２の発光制御駆動回路と同一に動作する。そして、第１発光制御駆動部Ｅｍｉｓｓｉｏｎ＿１から第１発光制御線Ｅｍ[１]にハイレベルの第１発光制御信号が出力された時に、第１画素回路部ＰＳ＿１と第２画素回路部ＰＳ＿２は、それぞれ第１走査線Ｓｃａｎ[１]と第２走査線Ｓｃａｎ[２]からローレベルの走査信号が供給されて同時に発光する。第２発光制御駆動部Ｅｍｉｓｓｉｏｎ＿２は、第１クロック端子ｃｌｋａが第２クロック線ＣＬＫ２に電気的に連結され、第２クロック端子ｃｌｋｂが第２負クロック線ＣＬＫＢ２に電気的に連結され、入力端子Ｉｎが第１負発光制御線ＥｍＢ[１]に電気的に連結されている。第２発光制御駆動部Ｅｍｉｓｓｉｏｎ＿２は、ローレベルの第２クロック信号とハイレベルの第２負クロック信号及びローレベルの第１負発光制御信号が入力されて出力端子Ｏｕｔから第２発光制御線Ｅｍ[２]にローレベルの第２発光制御信号を出力し、負出力端子ＯｕｔＢから第２負発光制御線ＥｍＢ[２]にハイレベルの第２負発光制御信号を出力する。この時、第２発光制御駆動部Ｅｍｉｓｓｉｏｎ＿２は、図５または図１０で示した第１駆動期間Ｔ５１の発光制御駆動回路と同一に動作する。
【０１１１】
次に、第３駆動期間Ｔ３において、第１発光制御駆動部Ｅｍｉｓｓｉｏｎ＿１は、第２駆動期間Ｔ２と同一に動作する。第２発光制御駆動部Ｅｍｉｓｓｉｏｎ＿２は、第１クロック端子ｃｌｋａが第２クロック線ＣＬＫ２に電気的に連結され、第２クロック端子ｃｌｋｂが第２負クロック線ＣＬＫＢ２に電気的に連結され、入力端子Ｉｎが第１負発光制御線ＥｍＢ[１]に電気的に連結されている。第２発光制御駆動部Ｅｍｉｓｓｉｏｎ＿２は、ハイレベルの第２クロック信号とローレベルの第２負クロック信号及びローレベルの第１負発光制御信号が入力されて出力端子Ｏｕｔから第２発光制御線Ｅｍ[２]にハイレベルの第２発光制御信号を出力し、負出力端子ＯｕｔＢから第２負発光制御線ＥｍＢ[２]にローレベルの第２負発光制御信号を出力する。この時、第２発光制御駆動部Ｅｍｉｓｓｉｏｎ＿２は、図５または図１０で示した第２駆動期間Ｔ５２の発光制御駆動回路と同一に動作する。そして、第２発光制御駆動部Ｅｍｉｓｓｉｏｎ＿２が第２発光制御線Ｅｍ[２]にハイレベルの第２発光制御信号を出力する時に、第３画素回路部ＰＳ＿３と第４画素回路部ＰＳ＿４は、それぞれ第３走査線Ｓｃａｎ[３]と第４走査線Ｓｃａｎ[４]からローレベルの走査信号が供給されて同時に発光する。第３発光制御駆動部Ｅｍｉｓｓｉｏｎ＿３は、第１クロック端子ｃｌｋａが第１負クロック線ＣＬＫＢ１に電気的に連結され、第２クロック端子ｃｌｋｂが第１クロック線ＣＬＫ１に電気的に連結され、入力端子Ｉｎが第２負発光制御線ＥｍＢ[２]に電気的に連結されている。第３発光制御駆動部Ｅｍｉｓｓｉｏｎ＿３は、ハイレベルの第１クロック信号とローレベルの第１負クロック信号及びローレベルの第２負発光制御信号が入力されて出力端子Ｏｕｔから第３発光制御線Ｅｍ[３]にローレベルの第３発光制御信号を出力し、負出力端子ＯｕｔＢから第３負発光制御線ＥｍＢ[３]にハイレベルの第３負発光制御信号を出力する。この時、第３発光制御駆動部Ｅｍｉｓｓｉｏｎ＿３は、図５または図１０で示した第１駆動期間Ｔ５１の発光制御駆動回路と同一に動作する。
【０１１２】
次に、第４駆動期間Ｔ４において、第１発光制御駆動部Ｅｍｉｓｓｉｏｎ＿１は、第１クロック端子ｃｌｋａが第１クロック線ＣＬＫ１に電気的に連結され、第２クロック端子ｃｌｋｂが第１負クロック線ＣＬＫＢ１に電気的に連結され、入力端子Ｉｎが初期駆動線Ｓｐに電気的に連結されている。第１発光制御駆動部Ｅｍｉｓｓｉｏｎ＿１は、ローレベルの第１クロック信号とハイレベルの第１負クロック信号及びハイレベルの初期駆動信号が入力されて出力端子Ｏｕｔから第１発光制御線Ｅｍ[１]にローレベルの第１発光制御信号を出力し、負出力端子ＯｕｔＢから第１負発光制御線ＥｍＢ[１]にハイレベルの第１負発光制御信号を出力する。この時、第１発光制御駆動部Ｅｍｉｓｓｉｏｎ＿１は、図５または図１０で示した第３駆動期間Ｔ５３の発光制御駆動回路と同一に動作する。第２発光制御駆動部Ｅｍｉｓｓｉｏｎ＿２は、第３駆動期間Ｔ３と同一に動作する。第３発光制御駆動部Ｅｍｉｓｓｉｏｎ＿３は、第１クロック端子ｃｌｋａが第１負クロック線ＣＬＫＢ１に電気的に連結され、第２クロック端子ｃｌｋｂが第１クロック線ＣＬＫ１に電気的に連結され、入力端子Ｉｎが第２負発光制御線ＥｍＢ[２]に電気的に連結されている。第３発光制御駆動部Ｅｍｉｓｓｉｏｎ＿３は、ローレベルの第１クロック信号とハイレベルの第１負クロック信号及びローレベルの第２負発光制御信号が入力されて出力端子Ｏｕｔから第３発光制御線Ｅｍ[３]にハイレベルの第３発光制御信号を出力し、負出力端子ＯｕｔＢから第３負発光制御線ＥｍＢ[３]にローレベルの第３負発光制御信号を出力する。この時、第３発光制御駆動部Ｅｍｉｓｓｉｏｎ＿３は、図５または図１０で示した第２駆動期間Ｔ５２の発光制御駆動回路と同一に動作する。そして、第３発光制御駆動部Ｅｍｉｓｓｉｏｎ＿３が第３発光制御線Ｅｍ[３]にハイレベルの第３発光制御信号を出力する時に、第５画素回路部ＰＳ＿５と第６画素回路部ＰＳ＿６は、それぞれ第５走査線Ｓｃａｎ[５]と第６走査線Ｓｃａｎ[６]からローレベルの走査信号が供給されて同時に発光する。第４発光制御駆動部Ｅｍｉｓｓｉｏｎ＿４は、第１クロック端子ｃｌｋａが第２負クロック線ＣＬＫＢ２に電気的に連結され、第２クロック端子ｃｌｋｂが第２クロック線ＣＬＫ２に電気的に連結され、入力端子Ｉｎが第３負発光制御線ＥｍＢ[３]に電気的に連結されている。第４発光制御駆動部Ｅｍｉｓｓｉｏｎ＿４は、ハイレベルの第２クロック信号とローレベルの第２負クロック信号及びローレベルの第３負発光制御信号が入力されて出力端子Ｏｕｔから第４発光制御線Ｅｍ[４]にローレベルの第４発光制御信号を出力し、負出力端子ＯｕｔＢから第４負発光制御線ＥｍＢ[４]にハイレベルの第４負発光制御信号を出力する。この時、第４発光制御駆動部Ｅｍｉｓｓｉｏｎ＿４は、図５または図１０で示した第１駆動期間Ｔ５１の発光制御駆動回路と同一に動作する。
【０１１３】
次に、第５駆動期間Ｔ５において、第１発光制御駆動部Ｅｍｉｓｓｉｏｎ＿１は、第４駆動期間Ｔ４と同一に動作する。第２発光制御駆動部Ｅｍｉｓｓｉｏｎ＿２は、第１クロック端子ｃｌｋａが第２クロック線ＣＬＫ２に電気的に連結され、第２クロック端子ｃｌｋｂが第２負クロック線ＣＬＫＢ２に電気的に連結され、入力端子Ｉｎが第１負発光制御線ＥｍＢ[１]に電気的に連結されている。第２発光制御駆動部Ｅｍｉｓｓｉｏｎ＿２は、ローレベルの第２クロック信号とハイレベルの第２負クロック信号及びハイレベルの第１負発光制御信号が入力されて出力端子Ｏｕｔから第２発光制御線Ｅｍ[２]にローレベルの第２発光制御信号を出力し、負出力端子ＯｕｔＢから第２負発光制御線ＥｍＢ[２]にハイレベルの第２負発光制御信号を出力する。この時、第２発光制御駆動部Ｅｍｉｓｓｉｏｎ＿２は、図５または図１０で示した第３駆動期間Ｔ５３の発光制御駆動回路と同一に動作する。第３発光制御駆動部Ｅｍｉｓｓｉｏｎ＿３は、第４駆動期間Ｔ４と同一に動作する。第４発光制御駆動部Ｅｍｉｓｓｉｏｎ＿４は、第１クロック端子ｃｌｋａが第２負クロック線ＣＬＫＢ２に電気的に連結され、第２クロック端子ｃｌｋｂが第２クロック線ＣＬＫ２に電気的に連結され、入力端子Ｉｎが第３負発光制御線ＥｍＢ[３]に電気的に連結されている。第４発光制御駆動部Ｅｍｉｓｓｉｏｎ＿４は、ローレベルの第２クロック信号とハイレベルの第２負クロック信号及びローレベルの第３負発光制御信号が入力されて出力端子Ｏｕｔから第４発光制御線Ｅｍ[４]にハイレベルの第４発光制御信号を出力し、負出力端子ＯｕｔＢから第４負発光制御線ＥｍＢ[４]にローレベルの第４負発光制御信号を出力する。この時、第４発光制御駆動部Ｅｍｉｓｓｉｏｎ＿４は、図５または図１０で示した第２駆動期間Ｔ５２の発光制御駆動回路と同一に動作する。そして、第４発光制御駆動部Ｅｍｉｓｓｉｏｎ＿４が第４発光制御線Ｅｍ[４]にハイレベルの第４発光制御信号を出力する時に、第７画素回路部ＰＳ＿７と第８画素回路部ＰＳ＿８は、それぞれ第７走査線Ｓｃａｎ[７]と第８走査線Ｓｃａｎ[８]からローレベルの走査信号が供給されて同時に発光する。
【０１１４】
以後の駆動期間における動作は、前述した第１駆動期間Ｔ１乃至第５駆動期間Ｔ５における第１発光制御駆動部乃至第４発光制御駆動部のように動作する。ここで、奇数番目の発光制御駆動部は、第１クロック端子ｃｌｋａと第２クロック端子ｃｌｋｂが第１クロック線と第１負クロック線のいずれかに連結されている。すなわち、奇数番目の発光制御駆動部は、第１発光制御駆動部のクロック端子と同一に連結されるものと、第３発光制御駆動部のクロック端子と同一に連結されるものが交互に設置される。そして、入力端子Ｉｎは前段の発光制御駆動部の負発光制御線に電気的に連結され、出力端子Ｏｕｔから発光制御線に発光制御信号を出力する。偶数番目の発光制御駆動部は、第１クロック端子ｃｌｋａと第２クロック端子ｃｌｋｂが第２クロック線と第２負クロック線のいずれかに連結されている。すなわち、偶数番目の発光制御駆動部は、第２発光制御駆動部のクロック端子と同一に連結されるものと、第４発光制御駆動部のクロック端子と同一に連結されるものが交互に設置される。そして、入力端子Ｉｎが前段の負発光制御線に電気的に連結され、出力端子Ｏｕｔから発光制御線に発光制御信号を出力する。
【０１１５】
以上、本発明は、上述した特定の好適な実施例に限定されるものではなく、特許請求の範囲で請求する本発明の基本概念に基づき、当該技術分野における通常の知識を有する者であれば、様々な実施変形が可能であり、そのような変形は本発明の特許請求の範囲に属するものである。
【図面の簡単な説明】
【０１１６】
【図１】従来の有機電界発光表示装置を構成する発光制御駆動回路の構成を示す回路図である。
【図２】本発明に係る有機電界発光表示装置の構成を示すブロック図である。
【図３】本発明の一実施形態に係る発光制御駆動部の構成を示すブロック図である。
【図４】図３に示す発光制御駆動部の発光制御駆動回路の構成を示す回路図である。
【図５】図４に示す発光制御駆動回路の動作タイミングを示すタイミングチャートである。
【図６】図５に示す第１駆動期間Ｔ５１における発光制御駆動回路の動作を示す回路図である。
【図７】図５に示す第２駆動期間Ｔ５２における発光制御駆動回路の動作を示す回路図である。
【図８】図５に示す第３駆動期間Ｔ５３における発光制御駆動回路の動作を示す回路図である。
【図９】図３に示す発光制御駆動部の他の形態の発光制御駆動回路の構成を示す回路図である。
【図１０】図９に示す発光制御駆動回路の動作タイミングを示すタイミングチャートである。
【図１１】図３に示す発光制御駆動部の動作を示すタイミングチャートである。
【符号の説明】
【０１１７】
１００…有機電界発光表示装置
１１０…走査駆動部  
１２０…データ駆動部
１３０…発光制御駆動部     
１４０…有機電界発光表示パネル
Ｅｍｉｓｓｉｏｎ＿１…第１発光制御駆動部 
Ｅｍｉｓｓｉｏｎ＿２…第２発光制御駆動部
Ｅｍｉｓｓｉｏｎ＿３…第３発光制御駆動部 
Ｅｍｉｓｓｉｏｎ＿４…第４発光制御駆動部
Ｅｍｉｓｓｉｏｎ＿ｎ/２…第ｎ/２発光制御駆動部  
Ｅｍ[１]…第１発光制御線
Ｅｍ[２]…第２発光制御線   
Ｅｍ[３]…第３発光制御線
Ｅｍ[４]…第４発光制御線   
Ｅｍ[ｎ/２]…第ｎ/２発光制御線
ＰＳ＿１…第１画素回路部   
ＰＳ＿２…第２画素回路部
ＰＳ＿３…第３画素回路部   
ＰＳ＿４…第４画素回路部
ＰＳ＿５…第５画素回路部   
ＰＳ＿６…第６画素回路部
ＰＳ＿７…第７画素回路部   
ＰＳ＿８…第８画素回路部
ＰＳ＿ｎ−１…第ｎ−１画素回路部  
ＰＳ＿ｎ…第ｎ画素回路部
Ｓ１…第１スイッチング素子 
Ｓ２…第２スイッチング素子
Ｓ３…第３スイッチング素子 
Ｓ４…第４スイッチング素子
Ｓ５…第５スイッチング素子 
Ｓ６…第６スイッチング素子
Ｓ７…第７スイッチング素子 
Ｓ８…第８スイッチング素子
Ｓ９…第９スイッチング素子 
Ｃ１…第１容量性素子
Ｃ２…第２容量性素子
【図１】
2008216961.tif 000003
【図２】
2008216961.tif 000004
【図３】
2008216961.tif 000005
【図４】
2008216961.tif 000006
【図５】
2008216961.tif 000007
【図６】
2008216961.tif 000008
【図７】
2008216961.tif 000009
【図８】
2008216961.tif 000010
【図９】
2008216961.tif 000011
【図１０】
2008216961.tif 000012
【図１１】
2008216961.tif 000013